(57)【要約】      （修正有）【課題】カタログ等に穴を開けずに容易に閉じることができ、重厚感を出すことができ、握りやすく高級感があり、名入れや装飾ができると共にデザインの多様性があるファイル用クリップロッドカバーを提供する。【解決手段】表皮材で一体的に被覆された背面用厚紙と側面用厚紙とを、断面をコ状に形成し、コ状の内側に接着剤又は両面テープを介してクリップロッドを接着し、該クリップロッドに書類またはクリヤファイルの側縁を嵌着できるように構成する。表皮材は壁紙、装飾用クロス、ポリプロピレンシート、和紙、塩ビシート、印刷物からなる。クリップロッドの先端部が弾力性プラスチックで構成され、書類またはクリヤファイルが何回でも着脱自在である。【選択図】図２
0003159324.tif 000002
【実用新案登録請求の範囲】
【請求項１】
表皮材で一体的に被覆された背面用厚紙と側面用厚紙とを、断面をコ状に形成し、コ状の内側に接着剤又は両面テープを介してクリップロッドを接着し、該クリップロッドに書類またはクリヤファイルの側縁を嵌着できるように構成したことを特徴とするファイル用クリップロッドカバー。
【請求項２】
背面用厚紙と側面用厚紙とを一体的に被覆する表皮材は壁紙、装飾用クロス、ポリプロピレンシート、和紙、塩ビシート、印刷物等からなり、用途に応じた絵柄を選んで被覆し、表皮材の表面には任意の文字や図形を描写可能としたことを特徴とする請求項１記載のファイル用クリップロッドカバー。
【請求項３】
クリップロッドの先端部が弾力性プラスチックで構成され、書類またはクリヤファイル等が何回でも着脱自在であることを特徴とする請求項１記載のファイル用クリップロッドカバー。
【請求項４】
側面幅が４０ｍｍ以内であることを特徴とする請求項１記載のファイル用クリップロッドカバー。
【考案の詳細な説明】
【技術分野】
【０００１】  本考案はファイル用クリップロッドカバーに関し、特にカタログや書類又はメニュー等に穴を開けずに容易に閉じることができ、重厚感を出すことができ、握りやすく高級感があり、名入れや装飾ができると共にデザインの多様性があるファイル用クリップロッドカバーである。
【背景技術】
【０００２】  従来、書類等のとじ具には種々のものが考案されており、その中には綴じ部が二重になっているものがある。
【先行技術文献】
【０００３】
【特許文献１】  特開２００８−１９４８３３号公報
【実用新案文献２】
公開実用新案６３−８０１６５号公報
【考案の概要】
【考案が解決しようとする課題】
【０００４】  前記せる特開２００８−１９４８３３号公報では、三角状のレールに挟持された書類等を外れにくくした構造であって、シートを折り曲げて介在部と突出部を形成しており、更に綴部材を設けるものであって、書類等に穴をあけて保持するものであった。【０００５】  また、前記せる公開実用新案６３−８０１６５号公報では、綴じ部が二重になっているものが開示されているが、単に両面接着テープで挟持物をとめるものであり、背表紙にあたる部分が曲線状に形成されているものであった。【０００６】  したがって、上記の引用文献は、いずれもカタログや書類又はメニュー等に穴を開けずに容易に閉じることができ、重厚感を出すことができ、握りやすく高級感があり、名入れや装飾ができると共にデザインの多様性があるファイル用クリップロッドカバーにはならなかった。
【課題を解決するための手段】
【０００７】  本考案は、表皮材で一体的に被覆された背面用厚紙と側面用厚紙とを、断面をコ状に形成し、コ状の内側に接着剤又は両面テープを介してクリップロッドを接着し、該クリップロッドに書類またはクリヤファイルの側縁を嵌着できるように構成したことを特徴とし、背面用厚紙と側面用厚紙とを一体的に被覆する表皮材は壁紙、装飾用クロス、ポリプロピレンシート、和紙、塩ビシート、印刷物等からなり、用途に応じた絵柄を選んで被覆し、表皮材の表面には任意の文字や図形を描写可能としたことを特徴とし、クリップロッドの先端部が弾力性プラスチックで構成され、書類またはクリヤファイル等が何回でも着脱自在であることを特徴とするファイル用クリップロッドカバーを提供するものである。
【考案の効果】
【０００８】  本考案は以上のような構成であるので、カタログや書類又はメニュー等に穴を開けずに容易に閉じることができ、重厚感を出すことができ、握りやすく高級感があり、名入れや装飾ができると共にデザインの多様性があるファイル用クリップロッドカバーである。
【図面の簡単な説明】
【０００９】
【図１】  本考案のファイル用クリップロッドカバーの使用状態を示す平面図である。
【図２】  図１のＡ−Ａ線の断面図である。
【考案を実施するための最良の形態】
【００１０】  以下、図面に示す実施例に基づき、本考案の具体的な構成を説明する。
図面において、図１は本考案のファイル用クリップロッドカバーの使用状態を示す平面図である。図２は図１のＡ−Ａ線の断面図である。【００１１】  表皮材１４で一体的に被覆された背面用厚紙１２と側面用厚紙１１及び側面用厚紙１３とを、図２に示すように断面をコ状に形成し、コ状の内側の接着部４、５、６に接着剤又は両面テープを介してクリップロッド３を接着し、該クリップロッド３に書類またはクリヤファイル２の側縁を嵌着することができる。【００１２】  背面用厚紙１２と側面用厚紙１１及び１３とを一体的に被覆する表皮材１４は壁紙、装飾用クロス、ポリプロピレンシート、和紙、塩ビシート、印刷物等からなり、用途に応じた絵柄を選んで被覆し、表皮材１４の表面は任意の文字や図形が描写可能となっている。【００１３】  クリップロッド３の先端部は弾力性プラスチックで構成されているので、書類またはクリヤファイル２等の基部を図１の矢印Ｓで示すように容易に挿入してセット４することができ、矢印Ｓと反対方向に引き出せば書類またはクリヤファイル２等を容易に取り外すことができるので、着脱自在であるから何回でも使用することができる。
【産業上の利用可能性】
【００１４】  本考案のファイル用クリップロッドカバーは、以上説明したような構成であるので、カタログや書類又はメニュー等に穴を開けずに容易に閉じることができ、重厚感を出すことができ、握りやすく高級感があり、名入れや装飾ができると共にデザインの多様性があり、用途に応じて多様な使用ができ、しかも何回でも使用することができるので、産業上の利用可能性が大きいものである。
【符号の説明】
【００１５】  １  ファイル用クリップロッドカバー
１１  側面用厚紙
１２  背面用厚紙
１３  側面用厚紙
１４  表皮材
１５  背表紙
２  書類又はクリヤファイル
２１  クリヤファイル綴じ部
３  クリップロッド
４  接着部
５  接着部
６  接着部
ｌ  側面幅
【図１】
0003159324.tif 000003
【図２】
0003159324.tif 000004
【手続補正書】
【提出日】平成22年2月24日(2010.2.24)
【手続補正１】
【補正対象書類名】実用新案登録請求の範囲
【補正対象項目名】請求項２
【補正方法】変更
【補正の内容】
【請求項２】
背面用厚紙と側面用厚紙とを一体的に被覆する表皮材は壁紙、装飾用クロス、ポリプロピレンシート、和紙、塩ビシート、印刷物からなり、用途に応じた絵柄を選んで被覆し、表皮材の表面には任意の文字や図形を描写可能としたことを特徴とする請求項１記載のファイル用クリップロッドカバー。
【手続補正２】
【補正対象書類名】実用新案登録請求の範囲
【補正対象項目名】請求項３
【補正方法】変更
【補正の内容】
【請求項３】
クリップロッドの先端部が弾力性プラスチックで構成され、書類またはクリヤファイルが何回でも着脱自在であることを特徴とする請求項１記載のファイル用クリップロッドカバー。